(57)【要約】      （修正有）【課題】粘着部位のある印刷物と粘着部位を持たない印刷物を必要に応じて組み合わせた複数の印刷物をセットで作成することが出来るプリンターを提供する。【解決手段】プリンター１は、粘着剤付加ユニット６およびオートカッター１３を備え、ホストコンピューターからの印刷データに基づき、記録紙３の記録面への印刷と、記録紙３の裏面への粘着剤付加処理を行う。プリンター１は、粘着剤付加領域がオートカッター１３によるパーシャルカット位置を含まないように粘着剤付加ユニット６を制御する。例えば、カフェ等に設置されたプリンター１は、ＰＯＳレジスター等から会計内容に応じて作成された印刷データを受け取り、セット印刷物を１回の印刷ジョブで印刷する。セット印刷物は、粘着部位のないレシート及び引換券と、弱粘着ラベルであるレシピがパーシャルカットされた状態でプリンター１から排出される。【選択図】図１
2014195885.tif 000002
【特許請求の範囲】
【請求項１】
記録媒体を搬送する搬送機構と、
前記記録媒体に印刷する記録ヘッドと、
前記記録媒体の一部を切り残すパーシャルカットを行うカッターと、
前記記録媒体に接触もしくは離間する付加部を有し、前記付加部が前記記録媒体と接触したときに前記記録媒体に粘着剤を付加する粘着剤付加ユニットと、
前記カッターによるパーシャルカット位置を指示するパーシャルカットコマンドに対応して前記粘着剤付加ユニットによる粘着剤付加領域を制御する制御部と、を有することを特徴とするプリンター。
【請求項２】
前記制御部は、
前記記録媒体への前記粘着剤の付加を指示する粘着剤付加コマンドに基づいて前記粘着剤付加ユニットを制御し、
前記粘着剤付加コマンドに基づく前記粘着剤付加領域が前記パーシャルカット位置を含まないように、前記粘着剤付加ユニットを制御する請求項１に記載のプリンター。
【請求項３】
前記制御部は、
前記粘着剤付加コマンドに基づき、前記記録媒体の前記パーシャルカット位置で区切られる印刷領域における第１の領域に粘着剤を付加する第１のモード、もしくは前記印刷領域における前記第１の領域よりも粘着剤付加面積が大きい第２の領域に粘着剤を付加する第２のモードで前記粘着剤付加ユニットを動作させる請求項２に記載のプリンター。
【請求項４】
前記制御部は、
前記カッターを制御して、前記パーシャルカット位置で区切られる複数の印刷領域を備えた前記記録媒体の部分を切り離すフルカットを行い、
前記粘着剤付加ユニットを制御して、前記切り離される前記記録媒体の部分における前記複数の印刷領域に、前記第１のモードで粘着剤が付加された前記第１の領域、前記第２のモードで粘着剤が付加された前記第２の領域、及び粘着剤が付加されない第３の領域の少なくとも一部を生成する請求項３に記載のプリンター。
【請求項５】
記録媒体を印刷位置に搬送する第１搬送機構、前記記録媒体に前記印刷位置で印刷する記録ヘッド、及び前記記録媒体の一部を切り残すパーシャルカットを行うカッターを有する印刷装置と、
前記印刷位置で印刷された前記記録媒体を搬送する第２搬送機構、前記第２搬送機構で搬送された前記記録媒体に接触したときに粘着剤を付加する付加部、及び前記付加部を前記記録媒体に接触もしくは離間させる付加部移動機構を有する粘着剤付加装置と、
前記カッターによるパーシャルカット位置を指示するパーシャルカットコマンドに対応して前記粘着剤付加装置による粘着剤付加領域を制御する制御装置と、
を備えることを特徴とする印刷システム。
【発明の詳細な説明】
【技術分野】
【０００１】
本発明は、記録紙に粘着剤を付加する粘着剤付加機構を備えるプリンターおよび印刷システムに関する。
【背景技術】
【０００２】
従来から、粘着ラベルを作成するプリンターとして、記録紙に粘着剤を付加する粘着剤付加機構を備えたものがある。特許文献１には、この種のプリンターが開示されている。特許文献１のプリンターは、記録紙の表面に印刷を行った後、剥離フィルムに塗布された粘着剤を記録紙の裏面に間歇的に押し付ける。これにより、印刷済みの記録紙の裏面に一定間隔で粘着剤を転写して、粘着ラベルを作成する。
【先行技術文献】
【特許文献】
【０００３】
【特許文献１】特開２０１１−２３５５９５号公報
【発明の概要】
【発明が解決しようとする課題】
【０００４】
特許文献１のプリンターは、ロール状に巻かれた記録紙を装填しており、複数の粘着ラベルを連続して作成できる。しかしながら、複数の粘着ラベルをセットで作成する場合、作成済みの粘着ラベルがばらばらになってしまうおそれがある。また、プリンターを複数のホスト装置と通信可能にした場合、複数のホスト装置からの命令で作成した粘着ラベルが混ざってしまうおそれがある。更に、粘着ラベルと無粘着すなわち粘着部位を持たない帳票やレシートをセットで作成する場合、粘着ラベルを印刷するプリンターと無粘着の帳票やレシートを印刷するプリンターを別にして、印刷物の種別毎にプリンターを分けることが考えられるが、このようにすると、印刷データをそれぞれのプリンターに分けて送る必要があり、また、別々のプリンターから複数の印刷物を回収しなければならない。従って、印刷作業および印刷物の取り扱いが面倒である。
【０００５】
本発明は、このような点に鑑み、粘着部位のある印刷物と粘着部位を持たない印刷物を必要に応じて組み合わせた複数の印刷物をセットで作成するのに便利で、作成ミスが少なく、且つ、作成後の印刷物の取り扱いが容易なプリンターを提案することにある。
【課題を解決するための手段】
【０００６】
上記課題を解決するために、本発明のプリンターは、
記録媒体を搬送する搬送機構と、
前記記録媒体に印刷する記録ヘッドと、
前記記録媒体の一部を切り残すパーシャルカットを行うカッターと、
前記記録媒体に接触もしくは離間する付加部を有し、前記付加部が前記記録媒体と接触したときに前記記録媒体に粘着剤を付加する粘着剤付加ユニットと、
前記カッターによるパーシャルカット位置を指示するパーシャルカットコマンドに対応して前記粘着剤付加ユニットによる粘着剤付加領域を制御する制御部と、を有することを特徴としている。
【０００７】
本発明は、このように、パーシャルカットを行うカッターおよび粘着剤付加ユニットを有しており、パーシャルカット位置に応じて粘着剤付加領域を制御できる。従って、予め粘着部位を持たない普通紙等を記録媒体として用いて、粘着部位のある印刷物と粘着部位を持たない印刷物が完全に切り離されない状態でつながった印刷物を１台のプリンターで作成できる。よって、セットで作成した印刷物の作成後の取り扱いが容易である。また、１回の印刷ジョブで作成できるため、作成が容易であり、作成ミスも少ない。
【０００８】
本発明において、前記制御部は、前記記録媒体への前記粘着剤の付加を指示する粘着剤付加コマンドに基づいて前記粘着剤付加ユニットを制御し、前記粘着剤付加コマンドに基づく前記粘着剤付加領域が前記パーシャルカット位置を含まないように、前記粘着剤付加ユニットを制御することが望ましい。このようにすると、パーシャルカット位置で粘着剤付加領域を区切ることができるため、粘着部位のある印刷物と粘着部位を持たない印刷物が完全に切り離されない状態でつながった印刷物を作成できる。
【０００９】
また、本発明において、前記制御部は、前記粘着剤付加コマンドに基づき、前記記録媒体の前記パーシャルカット位置で区切られる印刷領域における第１の領域に粘着剤を付加する第１のモード、もしくは前記印刷領域における前記第１の領域よりも大きい第２の領域に粘着剤を付加する第２のモードで前記粘着剤付加ユニットを動作させることが望ましい。このようにすると、弱粘着（部分粘着）の印刷物と強粘着（全面粘着）の印刷物を作成できる。また、弱粘着の印刷物と強粘着の印刷物をセットで作成できる。
【００１０】
更に、本発明において、前記制御部は、前記カッターを制御して、前記パーシャルカット位置で区切られる複数の印刷領域を備えた前記記録媒体の部分を切り離すフルカットを行い、前記粘着剤付加ユニットを制御して、前記切り離される前記記録媒体の部分における前記複数の印刷領域に、前記第１のモードで粘着剤が付加された前記第１の領域、前記第２のモードで粘着剤が付加された前記第２の領域、及び粘着剤が付加されない第３の領域の少なくとも一部を生成することができる。このようにすると、弱粘着の印刷物、強粘着の印刷物、無粘着の印刷物を必要に応じて組み合わせて１回の印刷で作成でき、これらの複数の印刷物をパーシャルカットでつながった状態で取り扱うことができる。
【００１１】
次に、本発明の印刷システムは、
記録媒体を印刷位置に搬送する第１搬送機構、前記記録媒体に前記印刷位置で印刷する記録ヘッド、及び前記記録媒体の一部を切り残すパーシャルカットを行うカッターを有する印刷装置と、
前記印刷位置で印刷された前記記録媒体を搬送する第２搬送機構、前記第２搬送機構で搬送された前記記録媒体に接触したときに粘着剤を付加する付加部、及び前記付加部を前記記録媒体に接触もしくは離間させる付加部移動機構を有する粘着剤付加装置と、
前記カッターによるパーシャルカット位置を指示するパーシャルカットコマンドに対応して前記粘着剤付加装置による粘着剤付加領域を制御する制御装置と、を備えることを特徴としている。
【００１２】
本発明によれば、予め粘着部位を持たない普通紙等を記録媒体として用いて、粘着部位のある印刷物と粘着部位を持たない印刷物が完全に切り離されない状態でつながった印刷物を作成できる。よって、セットで作成した印刷物の作成後の取り扱いが容易である。また、１回の印刷ジョブで作成できるため、作成が容易であり、作成ミスも少ない。
【図面の簡単な説明】
【００１３】
【図１】本発明に係るプリンターの主要部分の断面構成を示す説明図（離隔位置）である。
【図２】本発明に係るプリンターの主要部分の断面構成を示す説明図（当接位置）である。
【図３】プリンターの制御系を示すブロック図である。
【図４】プリンターによって作成される印刷物を裏面から見た説明図である。
【図５】プリンターによってセット印刷される印刷物およびその用途を示す説明図である。
【図６】プリンターによってセット印刷される印刷物およびその用途を示す説明図である。
【図７】プリンターによってセット印刷される印刷物およびその用途を示す説明図である。
【発明を実施するための形態】
【００１４】
（プリンター）
以下、図面を参照して本発明の実施形態について説明する。図１、図２は、本発明に係るプリンターの主要部分の断面構成を示す説明図であり、図１は粘着剤付加ユニットが離隔位置にある状態を示し、図２は粘着剤付加ユニットが当接位置にある状態を示している。プリンター１は、ホストコンピューター６０（図３参照）に接続されてレシートや帳票、粘着ラベル等を出力する用途で用いられる。プリンター１は、記録紙３（記録媒体）への印刷を行うプリンター本体５と、プリンター本体５における記録紙３の搬送方向Ｘの下流側に配置された粘着剤付加ユニット６を備える。
【００１５】
プリンター本体５は、長尺の記録紙３がロール状に巻かれたロール紙１１を装填するロール紙装填部１７と、ロール紙装填部１７に回転自在に装填されたロール紙１１から記録紙３を引き出して搬送する搬送機構１２と、記録紙３の片面（表面）に印刷する印刷機構４と、印刷機構４に対して記録紙３の搬送方向Ｘの下流側に配置されたオートカッター１３と、ロール紙装填部１７、搬送機構１２、印刷機構４、及びオートカッター１３を収納するケース１４と、後述するＤＫＤ（Ｄｒａｗｅｒ  Ｋｉｃｋ  Ｄｒｉｖｅｒ）インターフェース（Ｉ／Ｆ）５２を備える。
【００１６】
本例では、記録紙３は感熱紙であり、印刷機構４は、サーマルヘッドで構成された記録ヘッド２１を備える。搬送機構１２は、記録ヘッド２１に対向して配置されたプラテンローラー２２と、回転軸２３を介してプラテンローラー２２を駆動させるモーター等を有する搬送駆動部６３（図３参照）を備える。記録紙３は、記録ヘッド２１とプラテンローラー２２の間を通過するように装填される。記録ヘッド２１とプラテンローラー２２は、記録紙３を介して所定の押圧力で相互に押圧している。この状態で、記録ヘッド２１によって記録紙３に文字や画像が印刷される。また、この状態で、プラテンローラー２２を回転させると、記録紙３が所定速度で搬送される。
【００１７】
ケース１４の粘着剤付加ユニット６側の壁１４ａには、排出口１４ｂが設けられている。記録ヘッド２１とプラテンローラー２２の間を通過した印刷済みの記録紙３は、排出口１４ｂから粘着剤付加ユニット６内に進入する。排出口１４ｂと、記録ヘッド２１およびプラテンローラー２２との間には、記録紙３を切断するオートカッター１３が配置されている。
【００１８】
粘着剤付加ユニット６は、排出口１４ｂから粘着剤付加ユニット６内に進入した記録紙３を搬送する搬送部２５と、記録紙３に粘着剤を付加する付加部２６と、付加部２６を揺動させる揺動駆動部２７と、搬送部２５、付加部２６、及び揺動駆動部２７を収納するユニットケース２８を備える。ユニットケース２８は、ケース１４の壁１４ａに着脱自在に取り付けられる。従って、粘着剤付加ユニット６を使用しない場合には、粘着剤付加ユニット６をプリンター本体５から取り外すことも可能である。
【００１９】
搬送部２５は、記録紙３の記録面に接するように配置されて記録紙３を搬送する第１搬送ローラー部２９及び第２搬送ローラー３１と、第１搬送ローラー部２９及び第２搬送ローラー３１を回転駆動させるモーター等を有する搬送駆動部６６（図３参照）と、記録紙３の裏面に接するように配置されユニットケース２８に支持される記録紙保持部材３３と、ユニットケース２８の壁２８ａに設けられたユニット排出口２８ｂの近傍に配置されて記録紙３の裏面を案内する紙案内部３８を備える。
【００２０】
第１搬送ローラー部２９は、記録紙３を挟むように配置された駆動ローラー２９Ａ及び従動ローラー２９Ｂからなる。駆動ローラー２９Ａの回転軸２９Ｃはユニットケース２８に支持されている。また、従動ローラー２９Ｂは、支軸２９Ｄによって回転自在に支持されており、記録紙３を介して駆動ローラー２９Ａに押し付けられている。第２搬送ローラー３１の回転軸３４はユニットケース２８に支持されている。駆動ローラー２９Ａおよび第２搬送ローラー３１は、搬送駆動部６６により駆動される。第１搬送ローラー部２９及び第２搬送ローラー３１によって搬送された記録紙３は、ユニットケース２８に設けられたユニット排出口２８ｂから外部に排出される。
【００２１】
記録紙保持部材３３は、ユニットケース２８内を搬送される記録紙３を鉛直方向Ｙの下方で支持し、付加部２６側への移動を規制する紙案内部材である。紙案内部３８は、第２搬送ローラー３１の搬送方向Ｘの下流側に位置して、記録紙３を鉛直方向Ｙの下方すなわち裏面側から支持し、ユニット排出口２８ｂへ案内する。紙案内部３８は、記録紙３の裏面に付加部２６によって付加された粘着剤を避けるよう配置されている。具体的には、紙案内部３８は、記録紙３の幅方向の一部を支持する板状または棒状に構成され、付加部２６により付加された粘着剤を記録紙３の幅方向に避けるように配置されている。紙案内部３８は、粘着防止処理が施された回転可能な棒状の部材を用いることができ、この場合、粘着剤を避けることなく配置可能である。
【００２２】
付加部２６は、帯状のフィルムの片面に粘着剤を剥離可能に付着させた粘着剤テープ４１と、ユニットケース２８に支軸３５を介して揺動自在に支持された粘着剤収容部３６と、この粘着剤収容部３６にて粘着剤テープ４１を繰り出す又は巻き取る繰出機構３７を備える。繰出機構３７は、粘着剤テープ４１が巻かれたテープ供給ドラム４２と、外周面に粘着剤テープ４１が掛けられた付加ローラー４３と、記録紙３へ粘着剤が転写された後の粘着剤テープ４１を巻き取るテープ巻き取りドラム４４と、モーター等を有する巻き取り駆動部６７（図３参照）を備える。付加ローラー４３は、第２搬送ローラー３１と対向して配置されている。付加ローラー４３は、付加部２６が第２搬送ローラー３１の側へ移動した際に、記録紙３に粘着剤テープ４１を押し付け、粘着剤テープ４１に付着した粘着剤を記録紙３に転写する。これにより、記録紙３に粘着剤が付加される。
【００２３】
テープ巻き取りドラム４４は、巻き取り駆動部６７により、付加ローラー４３の回転によって粘着剤テープ４１の巻き取り方向に回転駆動される。テープ巻き取りドラム４４での粘着剤テープ４１の巻き取りに伴って、テープ供給ドラム４２から粘着剤テープ４１が繰り出される。なお、符号４６、４７はテープ供給ドラム４２、付加ローラー４３をそれぞれ回転自在に支持する粘着剤収容部３６に取付けられた支軸である。また、符号４８は巻き取り駆動部６７によって回転駆動されるテープ巻き取りドラム４４に取付けられた回転軸である。
【００２４】
揺動駆動部２７は、付加部２６に当接するプランジャー５１と、プリンター本体５に設けられてプランジャー５１に駆動信号を送るＤＫＤ＿Ｉ／Ｆ５２（図３参照）と、プランジャー５１とＤＫＤ＿Ｉ／Ｆ５２とを接続するケーブル５３とを備える。プランジャー５１は、ソレノイド式であり、ソレノイドに通電すると、可動子５１ａがユニットケース２８の内側に突出し、支軸３５を中心にして付加部２６を第２搬送ローラー３１に近づく側に揺動させる。付加部２６の揺動により、付加部２６の付加ローラー４３が粘着剤テープ４１を第２搬送ローラー３１の側の記録紙３に押し付け、粘着剤テープ４１から記録紙３への粘着剤の付加が可能になる。このときの付加部２６の位置（付加ローラー４３が粘着剤テープ４１を介して記録紙３に当接した位置）が、当接位置２６Ａ（図２参照）である。
【００２５】
また、ソレノイドへの通電を停止すると、プランジャー５１の可動子５１ａが元の位置まで移動する。付加部２６は、その自重、又は、付加部２６を第２搬送ローラー３１から離れる方向に付勢する図示しない弾性部材（リターンスプリング）により、第２搬送ローラー３１から離れる方向に揺動する。これにより、付加部２６の付加ローラー４３が記録紙３から離れ、粘着剤テープ４１から記録紙３への粘着剤の付加が行われなくなる。このときの付加部２６の位置が、離隔位置２６Ｂ（図１参照）である。
【００２６】
ＤＫＤ＿Ｉ／Ｆ５２は、紙幣や貨幣を収容するキャッシュドロワー６８（図３参照）をプリンター本体５に接続するインターフェースである。本実施形態では、キャッシュドロワー６８の引き出しを開くコマンド（信号）を用いて粘着剤付加ユニット６のプランジャー５１を駆動させる。すなわち、キャッシュドロワー６８を駆動させるのに設けられたＤＫＤ＿Ｉ／Ｆ５２を利用して、粘着剤付加ユニット６を動作させることができる。このため、粘着剤付加ユニット６を接続する新たなインターフェースを追加する必要がないという利点がある。
【００２７】
図３は、プリンター１の制御系を示すブロック図である。プリンター本体５は、ホストコンピューター６０に接続された通信インターフェース（Ｉ／Ｆ）６１と、プリンター１の各部を制御する制御部６２を備える。通信Ｉ／Ｆ６１は、例えば、ＵＳＢ規格に準拠したコネクターやインターフェース回路等を備える。制御部６２は、印刷制御部６２ａ、ＤＫＤ制御部６２ｂ、及び通信制御部６２ｃを備え、通信Ｉ／Ｆ６１を介してホストコンピューター６０との間でコマンドや各種データを送受信する。制御部６２は、ホストコンピューター６０から受信したコマンドおよびデータに基づき、記録ヘッド２１、搬送駆動部６３及びオートカッター１３のカッター機構部６４の各部を制御するとともに、ＤＫＤ＿Ｉ／Ｆ５２を介して粘着剤付加ユニット６を制御する。印刷制御部６２ａ、ＤＫＤ制御部６２ｂ、及び通信制御部６２ｃは、制御部６２によりソフトウェアとして実現されてもよい。
【００２８】
印刷制御部６２ａは、ホストコンピューター６０から入力される印刷データに従って、搬送駆動部６３を制御して記録紙３を搬送させる。また、記録ヘッド２１への通電を制御して、記録紙３に文字、画像、バーコード等を印刷させる。ＤＫＤ制御部６２ｂは、ホストコンピューター６０から送信されるコマンドに基づいてＤＫＤ＿Ｉ／Ｆ５２を介して粘着剤付加ユニット６に制御信号を出力する。通信制御部６２ｃは、通信Ｉ／Ｆ６１によりホストコンピューター６０との間のコマンド及びデータの送受信を実行する。
【００２９】
ＤＫＤ＿Ｉ／Ｆ５２から出力されるＤＫＤ制御信号は、例えばＨｉｇｈレベルとＬｏレベルの２値の電圧をとる信号である。ＤＫＤ制御信号がオン（Ｈｉｇｈレベル）に立ち上がると、プランジャー５１の可動子５１ａが突出し、付加部２６を揺動させて付加ローラー４３を記録紙３に押し当てる（図２に示す当接位置２６Ａの状態）。この状態はＤＫＤ制御信号がオンの間、継続して保持され、この間、粘着剤が記録紙３に付加される。ＤＫＤ制御信号がオフに切り替わると、プランジャー５１の可動子５１ａが引き込まれ、付加部２６が揺動して付加ローラー４３が記録紙３から離れる（図１に示す離隔位置２６Ｂの状態）。ＤＫＤ＿Ｉ／Ｆ５２は、ホストコンピューター６０から送信されるコマンドに基づき、ＤＫＤ制御信号のオンオフを切り換えるタイミングを制御することにより、記録紙３に粘着剤を付加する付加位置および粘着剤を付加する長さを制御できる。
【００３０】
オートカッター１３は、記録紙３を挟んで対向する可動刃１３ａおよび固定刃１３ｂからなる一対のカッター刃と、可動刃１３ａを固定刃１３ｂに向けて進退移動させるカッター機構部６４（図３参照）を備える。制御部６２は、カッター機構部６４に制御信号を出力して可動刃１３ａを移動させ、可動刃１３ａの刃先と固定刃１３ｂの刃先を交差させて記録紙３を切断する。制御部６２は、ホストコンピューター６０から送信されるコマンドに基づき、切断時の可動刃１３ａの状態を、記録紙３の幅方向の一部分の範囲において固定刃１３ｂと交差するパーシャルカット状態、及び、記録紙３の幅方向の全範囲において固定刃１３ｂと交差するフルカット状態のどちらかに選択的に制御する。これにより、記録紙３の一部を切り残すパーシャルカット、及び、記録紙３を完全に切断するフルカットを選択的に行うことができる。
【００３１】
（印刷動作および印刷物）
図４は、プリンター１によって作成される印刷物を裏面から見た説明図である。図４（ａ）は弱粘着ラベル７１であり、その裏面には、部分的に粘着剤付加領域７１ａが形成されている。例えば、弱粘着ラベル７１の粘着剤付加領域７１ａは、一定間隔毎に帯状に粘着剤を付加して形成されている。また、図４（ｂ）は強粘着ラベル７２であり、その裏面は、粘着剤を付加可能な領域のほぼ全面が粘着剤付加領域７２ａとなっている。そして、図４（ｃ）はレシート７３であり、裏面には粘着剤が付加されていない。図４（ａ）〜（ｃ）に示すように、これらの印刷物は、記録紙３の単位印刷領域３Ａをカット位置Ｅで切断して作成されている。カット位置Ｅでの切断形態は、パーシャルカットあるいはフルカットのどちらであってもよい。
【００３２】
以下、図４（ａ）〜（ｃ）の印刷物を作成する際のプリンター１の動作について、図２に基づいて説明する。プリンター１は、記録紙３の先端がオートカッター１３の位置に有る状態から、印刷を開始する。ホストコンピューター６０は、記録紙３に印刷する内容に基づき、印刷データを生成し、プリンター本体５に送信する。
【００３３】
本明細書において、印刷データとは、印刷される画像や文字、バーコードおよびその印刷位置等を指定するイメージデータやテキストデータ、あるいは印刷コマンドだけでなく、オートカッター１３による切断動作を指示するコマンド（パーシャルカットコマンド、フルカットコマンド）、粘着剤付加ユニット６による粘着剤付加動作を指示するコマンド（部分粘着剤付加コマンド、全面粘着剤付加コマンド）、等を含むものとする。これらのデータやコマンドは、印刷ジョブ開始前に一度にプリンター本体５に送信することもできるし、これらのデータやコマンドを分割して、異なるタイミングで適宜ホストコンピューター６０からプリンター本体５に送信することもできる。
【００３４】
制御部６２は、通信Ｉ／Ｆ６１を介して印刷データを受信すると、受信した印刷データに基づいて、搬送駆動部６３を駆動する。これにより、プラテンローラー２２が図２中の矢印Ｄで示す方向に回転し、ロール紙１１が矢印Ｅで示す方向に回転して、記録紙３が引き出されて矢印Ｆで示すように印刷位置Ａに向けて搬送される。
【００３５】
記録紙３の印刷領域が印刷位置Ａに到達すると、制御部６２は、記録ヘッド２１を駆動して印刷を開始する。記録紙３への印刷に伴って、印刷済みの記録紙３が矢印Ｇで示すように搬送される。記録紙３の先端は、プリンター本体５の排出口１４ｂから排出され、粘着剤付加ユニット６内に進入する。粘着剤付加ユニット６のユニットケース２８内では、第１搬送ローラー部２９により、矢印Ｈで示すように記録紙３が搬送される。この動作は、例えば、粘着剤付加ユニット６に記録紙３の先端を検出するセンサーを設け、このセンサーが記録紙３を検出している間は搬送駆動部６６（図３参照）が動作する構成とすれば、実現可能である。また、ホストコンピューター６０またはプリンター本体５の制御部６２が、粘着剤付加ユニット６の搬送駆動部６６を制御してもよい。
【００３６】
ホストコンピューター６０は、印刷データの生成時に、記録紙３に対して粘着剤を付加するか否かを決定すると共に、粘着剤を付加する場合には記録紙３の長さ方向（搬送方向）において粘着剤を付加する領域を決定する。ホストコンピューター６０は、粘着剤を付加する場合には、粘着剤付加動作を指示するコマンドを、プリンター本体５に送信する。制御部６２は、このコマンドに従って、ＤＫＤ制御信号を制御する。
【００３７】
ホストコンピューター６０は、粘着剤付加動作を指示するコマンドとして、部分粘着剤付加コマンドと、全面粘着剤付加コマンドの２種類のコマンドを生成する。部分粘着剤付加コマンドは、図４（ａ）の弱粘着ラベル７１のように、１枚の印刷物となる記録紙３の領域、すなわち、オートカッター１３によるカット位置Ｅで区切られた単位印刷領域３Ａ（弱粘着領域）の裏面の一部に粘着剤を付加させるコマンドである。部分粘着剤付加コマンドは、例えば、粘着剤付加領域の位置およびサイズ（長さ）を指定する内容を含むものとすることができる。一方、全面粘着剤付加コマンドは、図４（ｂ）の強粘着ラベルのように、記録紙３の単位印刷領域３Ａ（強粘着領域）の裏面全体に粘着剤を付加させるコマンドである。全面粘着剤付加コマンドは、例えば、粘着剤付加有りを指示し、粘着剤付加領域の位置やサイズ（長さ）の指定は含まない内容とすることができる。
【００３８】
制御部６２は、部分粘着剤付加コマンドあるいは全面粘着剤付加コマンドに基づいて粘着剤付加動作を開始するとき、ＤＫＤ制御信号をオンに切り換える。これにより、第２搬送ローラー３１が矢印Ｊで示すように回転している状態でプランジャー５１が駆動され、可動子５１ａが矢印Ｋで示すように突出し、付加部２６が矢印Ｌで示すように支軸３５を中心にして揺動して、当接位置２６Ａに至る。この結果、付加ローラー４３が、粘着剤テープ４１を記録紙３の裏面に押し付けながら第２搬送ローラー３１と共に矢印Ｍに示すように回転するので、粘着剤テープ４１の粘着剤４１Ａが、付加位置Ｃにて記録紙３の裏面に付加される。これと共に、矢印Ｎで示すように記録紙３が第２搬送ローラー３１と付加ローラー４３との間に挟まれて搬送され、紙案内部３８に案内されながらユニット排出口２８ｂから外部に排出される。
【００３９】
記録紙３に粘着剤が付加されるとき、付加ローラー４３の回転に伴って粘着剤テープ４１がテープ供給ドラム４２から矢印Ｑで示すように繰り出され、テープ供給ドラム４２が矢印Ｐで示すように回転する。第２搬送ローラー３１と付加ローラー４３との間を通った際に粘着剤テープ４１から粘着剤４１Ａが記録紙３の裏面に付加され、粘着剤４１Ａを付加した後の粘着剤テープ４１が、矢印Ｒで示すテープ巻き取りドラム４４の回転に伴って矢印Ｓで示すように搬送されてテープ巻き取りドラム４４に巻き取られる。
【００４０】
制御部６２は、記録紙３において粘着剤を付加する後端位置が第２搬送ローラー３１の位置に達するタイミングで、ＤＫＤ制御信号をオフにする。このＤＫＤ制御信号の切り替わりにより、プランジャー５１がプランジャー５１の可動子５１ａを移動させ、付加部２６を離隔位置まで移動させる。この結果、付加部２６が支軸３５を中心にして揺動することにより、付加ローラー４３及び粘着剤テープ４１が記録紙３から離れ、粘着剤４１Ａの付加が行われなくなる。このとき、記録紙保持部材３３によって記録紙３が粘着剤テープ４１に付着して移動するのを抑えることができる。以上の動作により、記録紙３の裏面には、ホストコンピューター６０から指定された粘着剤付加領域に、粘着剤が付加される。
【００４１】
本形態では、部分粘着剤付加コマンドに基づき、ＤＫＤ制御信号のオンオフが繰り返される。これにより、図４（ａ）の弱粘着ラベル７１の粘着剤付加領域７１ａのように、一定間隔毎の帯状に並んだ形態に粘着剤が付加される。一方、全面粘着剤付加コマンドでは、図４（ｂ）の強粘着ラベル７２の粘着剤付加領域７２ａのように、記録紙３の裏面に連続的に粘着剤が付加される。すなわち、制御部６２は、部分粘着剤付加コマンドに基づき、一定間隔毎の帯状に並んだ領域（第１の領域）に粘着剤を付加する部分粘着剤付加モード（第１のモード）で粘着剤付加ユニット６を動作させる。また、制御部６２は、全面粘着剤付加コマンドに基づき、粘着剤付加領域７１ａ（第１の領域）よりも粘着剤付加面積が大きい粘着剤付加領域７２ａ（第２の領域）に粘着剤を付加する全面粘着剤付加モード（第２のモード）で粘着剤付加ユニット６を動作させる。
【００４２】
ここで、制御部６２は、単位印刷領域３Ａにおける粘着剤付加領域７１ａ、７２ａの後端位置を、記録紙３の切断動作を指示するコマンド（パーシャルカットコマンドあるいはフルカットコマンド）に基づいて決定する。具体的には、粘着剤付加領域７１ａ、７２ａが、パーシャルカットコマンドあるいはフルカットコマンドによるカット位置Ｅを含まないように、粘着剤付加領域の後端位置を決定する。例えば、図４（ｂ）に示すように、カット位置Ｅから所定寸法ｄだけ離れた位置に粘着剤を付加する後端位置を決定する。このように、パーシャルカットコマンドあるいはフルカットコマンドに基づいて粘着剤付加領域を制御することにより、カット位置Ｅをまたいで次の単位印刷領域３Ａまで粘着剤の付加動作が継続されることがない。
【００４３】
なお、部分粘着剤付加コマンドによる粘着剤の付加形態は、図４（ａ）に例示したような形態に限定されるものではなく、他の形態とすることもできる。例えば、帯状の粘着剤付加領域を指定された本数だけ形成する形態や、単位印刷領域３Ａの裏面の上半分などの一部の領域に限定して粘着剤を付加する形態としてもよい。この場合には、粘着剤付加領域の後端位置を部分粘着剤付加コマンドに基づいて決定することもできる。
【００４４】
図４（ｃ）に示すレシート７３のように、記録紙３に粘着剤を付加しない印刷物を作成する場合には、ホストコンピューター６０からプリンター本体５に対し、粘着剤付加動作を指示するコマンドが送信されない。従って、この場合、粘着剤付加ユニット６は記録紙３の単位印刷領域３Ａ（無粘着領域）に粘着剤付加動作を行わず、搬送駆動部６６による記録紙３の搬送動作を実行する。
【００４５】
プリンター本体５の制御部６２は、ホストコンピューター６０から、オートカッター１３による切断動作を指示するコマンド（パーシャルカットコマンドあるいはフルカットコマンド）を受信する。記録紙３の単位印刷領域３Ａへの印刷が終了し、コマンドで指定された記録紙３上のカット位置Ｅがオートカッター１３による切断位置Ｂに達すると、制御部６２は、受信したコマンドに従ってオートカッター１３を駆動して、記録紙３のパーシャルカットあるいはフルカットを行う。
【００４６】
（複数の印刷物のセット印刷）
図５〜図７は、プリンター１によってセット印刷される印刷物およびその用途を示す説明図である。図５〜７に示す印刷物は、粘着ラベルやレシート等の複数の印刷物を１回の印刷ジョブでまとめて作成したものである。図５は、カフェ等の店舗においてＰＯＳレジスターに接続されたプリンター１によって作成されるセット印刷物７４である。セット印刷物７４は、レシート７４Ａと、引換券７４Ｂと、レシピ７４Ｃの３枚の印刷物から構成されている。レシート７４Ａ、引換券７４Ｂ、及びレシピ７４Ｃは、パーシャルカットが行われたカット位置Ｅ（パーシャルカット位置）で区切られた複数の単位印刷領域３Ａの記録面に印刷が行われると共に、これらの複数の単位印刷領域３Ａの裏面に必要に応じて粘着剤が付加され、印刷および粘着剤の付加が行われた複数の単位印刷領域３Ａを含む記録紙３の部分を、フルカットによって未印刷の記録紙３から切り離したものである。
【００４７】
セット印刷物７４は、レシート７４Ａおよび引換券７４Ｂには粘着剤が付加されておらず、レシピ７４Ｃは図４（ａ）と同様に間歇的に粘着剤が付加された弱粘着ラベルである。客の注文に従って店舗のＰＯＳレジスターで会計が行われると、プリンター１で会計内容に基づいてセット印刷物７４が印刷される。レシート７４Ａには、店舗の情報、取引日時、取引内容（品名、価格）等が印刷される。また、引換券７４Ｂには、取引を特定できる情報（例えば、客が注文した飲み物の品名、および、取引を特定する整理番号）が印刷される。そして、レシピ７４Ｃには、飲み物の品名と、飲み物に対する個別のオーダー内容（例えば、砂糖少な目、等）が整理番号と共に印刷され、その裏面には部分粘着剤付加コマンドによって部分粘着剤付加処理が行われている。
【００４８】
プリンター１は、ホストコンピューター６０（この場合には、ＰＯＳレジスターあるいはＰＯＳレジスターが接続される店舗のホスト装置）から会計内容に応じて作成された印刷データを受け取り、セット印刷物７４を１回の印刷ジョブでまとめて印刷する。セット印刷物７４は、図５（ａ）に示すように、レシート７４Ａ（第３の領域）、引換券７４Ｂ（第３の領域）、およびレシピ７４Ｃ（第１の領域）がパーシャルカットによってつながった状態で未印刷の記録紙３から切り離され、プリンター１から排出される。レシート７４Ａおよび引換券７４Ｂは、カフェの店員によってレシピ７４Ｃから切り離されて客に渡される。レシート７４Ａは、図５（ｂ）（ｃ）に示すように引換券７４Ｂから切り離された後、通常のレシートと同様に客側で保管あるいは破棄される。図５（ｄ）に示すように、レシピ７４Ｃはカフェの厨房に回されて注文票として用いられ、注文された商品（飲み物）が出来上がると商品に貼り付けられる。商品は、貼り付けられたレシピ７４Ｃと客が提示した引換券７４Ｂとが照合され、引換券７４Ｂと引き換えに客に渡される。
【００４９】
次に、図６は、ドライブスルーの店舗においてＰＯＳレジスターに接続されたプリンター１によって作成されるセット印刷物７５である。セット印刷物７５は、シール７５Ａおよびレシート７５Ｂの２枚の印刷物から構成されている。このセット印刷物７５は、セット印刷物７４と同様に、パーシャルカットによって区切られた複数の単位印刷領域３Ａの記録面に印刷が行われると共に、これらの複数の単位印刷領域３Ａの裏面に必要に応じて粘着剤が付加され、印刷および粘着剤の付加が行われた複数の単位印刷領域３Ａを含む記録紙３の部分を、フルカットによって未印刷の記録紙３から切り離したものである。
【００５０】
セット印刷物７５は、シール７５Ａが強粘着ラベルであり、レシート７５Ｂには粘着剤が付加されていない。客の注文に従って店舗のＰＯＳレジスターで会計が行われると、プリンター１で会計内容に基づいてセット印刷物７５が印刷される。すなわち、ホストコンピューター６０（この場合には、ＰＯＳレジスターあるいはＰＯＳレジスターが接続される店舗のホスト装置）から会計内容に応じて作成された印刷データを受け取り、セット印刷物７５を１回の印刷ジョブでまとめて印刷する。シール７５Ａには、店舗のロゴマークが印刷されると共に、裏面には全面粘着剤付加コマンドによって全面粘着剤付加処理が行われている。プリンター１は、全面粘着剤付加処理がパーシャルカット位置をまたいで行われないように粘着剤付加ユニット６を制御しているため、レシート７５Ｂにまで粘着剤が付加されてしまうことはない。レシート７５Ｂには、店舗の情報、取引日時、取引内容（品名、価格）等が印刷される。
【００５１】
セット印刷物７５は、図６（ａ）に示すように、シール７５Ａ（第２の領域）およびレシート７５Ｂ（第３の領域）がパーシャルカットによってつながった状態で未印刷の記録紙３から切り離され、プリンター１から排出される。ドライブスルーの店員は、図６（ｂ）に示すように、シール７５Ａおよびレシート７５Ｂを切り離すことなく、商品が入った紙袋にシール７５Ａを貼り付けて客に引き渡す。レシート７５Ｂは、シール７５Ａとパーシャルカットでつながっているため、商品とばらばらになることがない。客は、図６（ｃ）に示すように、レシート７５Ｂをシール７５Ａから適宜切り離し、通常のレシートと同様に保管あるいは破棄することができる。
【００５２】
また、図７は、出荷業務を行う事業所のホストコンピューター６０に接続されたプリンター１によって作成されるセット印刷物７６である。セット印刷物７６は、商品の出荷時に作成される出荷票であり、宛名ラベル７６Ａと、検査票７６Ｂと、社内処理票７６Ｃの３種類の印刷物から構成されている。このセット印刷物７６は、セット印刷物７４、７５と同様に、パーシャルカットによって区切られた複数の単位印刷領域３Ａの記録面に印刷が行われると共に、これらの複数の単位印刷領域３Ａの裏面に必要に応じて粘着剤が付加され、印刷および粘着剤の付加が行われた複数の単位印刷領域３Ａを含む記録紙３の部分を、フルカットによって未印刷の記録紙３から切り離したものである。
【００５３】
セット印刷物７６は、宛名ラベル７６Ａが強粘着ラベルであり、検査票７６Ｂが弱粘着ラベルである。そして、社内処理票７６Ｃには粘着剤が付加されていない。出荷時に、担当者がホストコンピューター６０で出荷処理を行うと、ホストコンピューター６０で出荷処理内容に基づいて印刷データが作成され、プリンター１に送信される。プリンター１は、印刷データに基づき、セット印刷物７６を１回の印刷ジョブでまとめて印刷する。宛名ラベル７６Ａには、出荷番号、宛先情報、出荷内容（品名、数量）等が印刷され、その裏面には全面粘着剤付加コマンドによって全面粘着剤付加処理が行われている。また、検査票７６Ｂには、出荷番号、検査項目、出荷日時等が印刷され、その裏面には部分粘着剤付加コマンドによって部分粘着剤付加処理が行われている。そして、社内処理票７６Ｃには、出荷番号、宛先情報、出荷内容（品名、数量）、出荷日時、担当者名等が印刷されている。
【００５４】
セット印刷物７６は、図７（ａ）に示すように、宛名ラベル７６Ａ（第２の領域）、検査票７６Ｂ（第１の領域）、及び社内処理票７６Ｃ（第３の領域）がパーシャルカットによってつながった状態で未印刷の記録紙３から切り離され、プリンター１から排出される。この状態で、図７（ｂ）に示すように、梱包された出荷物に宛名ラベル７６Ａが貼り付けられる。検査担当者は、出荷物の内容を検査票７６Ｂに基づいて検査した後、検査票７６Ｂ及び社内処理票７６Ｃを宛名ラベル７６Ａから切り離す。そして、検査票７６Ｂを社内処理票７６Ｃから切り離して台帳に貼付し、残った社内処理票７６Ｃを管理者に提出する。社内処理票７６Ｃは、管理者によって内容確認された後、ファイリングされて事業所内に保管される。
【００５５】
以上のように、本形態のプリンター１は、パーシャルカットを行うオートカッター１３および粘着剤付加ユニット６を有しており、オートカッター１３によるパーシャルカット位置に応じて、粘着剤付加ユニット６による粘着剤付加領域を制御できる。具体的には、プリンター１の制御部６２は、粘着剤付加ユニット６による粘着剤付加領域がパーシャルカット位置を含まないように、粘着剤付加ユニット６による粘着剤付加動作を制御する。従って、予め粘着部位を持たない記録紙３を用いて、粘着部位のある印刷物と粘着部位を持たない印刷物が完全に切り離されない状態でつながった印刷物を１台のプリンターで作成できる。よって、セットで作成した印刷物がばらばらになることがなく、作成後の取り扱いが容易である。また、１回の印刷ジョブで作成できるため、作成が容易であり、作成ミスも少ない。
【００５６】
また、本形態では、粘着剤付加ユニット６による粘着剤付加領域を印刷物の全面あるいは一部分とすることができるため、弱粘着ラベルと強粘着ラベルを作成できる。従って、弱粘着ラベル、強粘着ラベル、粘着部位のない印刷物（レシート等）を必要に応じて適宜組み合わせて１回の印刷で作成でき、多様な用途に対応できる。
【００５７】
なお、上記形態におけるセット印刷物７４〜７６のような組み合わせと異なる組み合わせのセット印刷物を作成することもできる。すなわち、印刷物の全面に粘着剤を付加した強粘着領域、印刷物の一部に粘着剤を付加した弱粘着領域、および粘着剤を付加しない無粘着領域の全てあるいは一部を必要に応じて適宜組み合わせて、セット印刷物を作成できる。
【００５８】
（他の形態：印刷システム）
上記形態のプリンター１は、印刷機構４、搬送機構１２、及びオートカッター１３を備えたプリンター本体５に対し、粘着剤付加ユニット６を着脱可能に取り付け、これらを制御部６２によって制御する一体型の装置であったが、プリンター本体５を備えた印刷装置と、粘着剤付加ユニット６を備えた粘着剤付加装置を別々に動作可能な個別の装置とし、これらをホストコンピューター等の制御装置によって上記形態と同様に制御する印刷システムを構成することもできる。このような印刷システムにより、上記形態におけるセット印刷物７４〜７６と同様の印刷物を作成できる。
【符号の説明】
【００５９】
１…プリンター、３…記録紙（記録媒体）、３Ａ…単位印刷領域、４…印刷機構、５…プリンター本体、６…粘着剤付加ユニット、１１…ロール紙、１２…搬送機構、１３…オートカッター、１３ａ…可動刃、１３ｂ…固定刃、１４…ケース、１４ａ…壁、１４ｂ…排出口、１７…ロール紙装填部、２１…記録ヘッド、２２…プラテンローラー、２３…回転軸、２５…搬送部、２６…付加部、２６Ａ…当接位置、２６Ｂ…離隔位置、２７…揺動駆動部、２８…ユニットケース、２８ａ…壁、２８ｂ…ユニット排出口、２９…第１搬送ローラー部、２９Ａ…駆動ローラー、２９Ｂ…従動ローラー、２９Ｃ…回転軸、２９Ｄ…支軸、３１…第２搬送ローラー、３３…記録紙保持部材、３４…回転軸、３５…支軸、３６…粘着剤収容部、３７…繰出機構、３８…紙案内部、４１…粘着剤テープ、４１Ａ…粘着剤、４２…テープ供給ドラム、４３…付加ローラー、４４…テープ巻き取りドラム、４６、４７…支軸、４８…回転軸、５１…プランジャー、５１ａ…可動子、５２…ＤＫＤ＿Ｉ／Ｆ、６０…ホストコンピューター、６１…通信Ｉ／Ｆ、６２…制御部、６２ａ…印刷制御部、６２ｂ…ＤＫＤ制御部、６２ｃ…通信制御部、６３…搬送駆動部、６４…カッター機構部、６６…搬送駆動部、６７…巻き取り駆動部、６８…キャッシュドロワー、７１…弱粘着ラベル、７１ａ…粘着剤付加領域（第１の領域）、７２…強粘着ラベル、７２ａ…粘着剤付加領域（第２の領域）、７３…レシート、７４…セット印刷物、７４Ａ…レシート、７４Ｂ…引換券、７４Ｃ…レシピ、７５…セット印刷物、７５Ａ…シール、７５Ｂ…レシート、７６…セット印刷物、７６Ａ…宛名ラベル、７６Ｂ…検査票、７６Ｃ…社内処理票、Ａ…印刷位置、Ｂ…切断位置、Ｃ…付加位置、Ｅ…カット位置、Ｘ…搬送方向、Ｙ…鉛直方向
【図１】
2014195885.tif 000003
【図２】
2014195885.tif 000004
【図３】
2014195885.tif 000005
【図４】
2014195885.tif 000006
【図５】
2014195885.tif 000007
【図６】
2014195885.tif 000008
【図７】
2014195885.tif 000009